(57)【要約】【課題】防水性能を確保するとともに、カバー部材を取外す際に、配線のねじれの屈曲度合いを軽減することが可能な照明装置を提供する。【解決手段】本発明は、光源部２と、この光源部２が支持されて収容された透光性を有するカバー部材１と、このカバー部材１が回動によって水密状態に嵌合される基体部５と、この基体部５に設けられ、光源部２側から導出される配線５３が挿通し、一方側の直径の寸法Ｄ1に対する配線５３の直径の合計寸法ｄの比が０．８９〜０．９９であって、一方側の直径の寸法Ｄ1より他方側の直径の寸法Ｄ2が大きく形成された配線挿通孔５４ｂを有する配線部５４と備える照明装置である。【選択図】図７
2012221598.tif 000002
【特許請求の範囲】
【請求項１】
光源部と；
この光源部が支持されて収容された透光性を有するカバー部材と；
このカバー部材が回動によって水密状態に嵌合される基体部と；
この基体部に設けられ、光源部側から導出される配線が挿通し、一方側の直径の寸法に対する配線の直径の合計寸法の比が０．８９〜０．９９であって、一方側の直径の寸法より他方側の直径の寸法が大きく形成された配線挿通孔を有する配線部と；
を具備することを特徴とする照明装置。
【請求項２】
前記配線挿通孔は、一方側の直径の寸法に対する他方側の直径の寸法の比が１．１〜１．４であることを特徴とする請求項１に記載の照明装置。
【請求項３】
前記配線挿通孔の長さ寸法は、一方側の直径の寸法の４〜６倍に形成されていることを特徴とする請求項１又は請求項２に記載に記載の照明装置。
【発明の詳細な説明】
【技術分野】
【０００１】
本発明の実施形態は、防水構造を有する照明装置に関する。
【背景技術】
【０００２】
従来、防犯灯や街路灯などの屋外用の照明装置にあっては、器具本体内に雨水等が侵入することを防止するため、所定の防水性能を充足する防水構造が採られている。
【０００３】
例えば、照明装置としての防犯灯では、透光性のカバー部材内に支持されて収容された光源部及びこの光源部を点灯制御する点灯装置から導出されるリード線等の配線を、基体部に設けられた防水ブッシングに挿通させて外部へ導出するように構成している。
【先行技術文献】
【特許文献】
【０００４】
【特許文献１】特開２０１１−１８４６９号公報
【特許文献２】特開２０１１−３４８５６号公報
【発明の概要】
【発明が解決しようとする課題】
【０００５】
しかしながら、上記のような防水構造の場合、カバー部材の交換等のメンテナンスにおいて、カバー部材を回動して基体部から取外す際に、配線が防水ブッシングに緊密的に保持されているため、配線にねじれが生じて、その屈曲度合いが大きく、配線の断線等の損傷や応力がかかって接続部が外れてしまうといった不具合が発生する虞がある。
【０００６】
本発明は、上記課題に鑑みなされたもので、防水性能を確保するとともに、カバー部材を取外す際に、配線のねじれの屈曲度合いを軽減することが可能な照明装置を提供することを目的とする。
【課題を解決するための手段】
【０００７】
本発明の実施形態による照明装置は、光源部と、この光源部が支持されて収容された透光性を有するカバー部材と、このカバー部材が回動によって水密状態に嵌合される基体部とを備えている。
【０００８】
また、基体部に設けられ、光源部側から導出される配線が挿通し、一方側の直径の寸法に対する配線の直径の合計寸法の比が０．８９〜０．９９であって、一方側の直径の寸法より他方側の直径の寸法が大きく形成された配線挿通孔を有する配線部を備えている。
【発明の効果】
【０００９】
本発明の実施形態によれば、所定の防水性能を確保することができるとともに、カバー部材を取外す際に、配線のねじれの屈曲度合いを軽減することが可能な照明装置を提供することができる。
【図面の簡単な説明】
【００１０】
【図１】本発明の実施形態に係る照明装置を示す斜視図である。
【図２】同照明装置を示す側面図である。
【図３】同照明装置を示す側断面図である。
【図４】同照明装置を分解して示す斜視図である。
【図５】同照明装置を後部から見て示す斜視図である。
【図６】同照明装置において、カバー部材を取外して示す斜視図である。
【図７】同照明装置における配線部を拡大して示す断面図である。
【図８】同照明装置における配線部を内側から見て示す説明図である。
【図９】同照明装置における配線部を外側から見て示す説明図である。
【発明を実施するための形態】
【００１１】
以下、本発明の実施形態について図１乃至図９を参照して説明する。本実施形態は、照明装置として防犯灯を示している。防犯灯は、道路に立設された電柱や公園等のポール、工場の外壁等に設置されて使用されるもので、主として歩行者の安全を確保するものである。
【００１２】
図１は、防犯灯を示す斜視図であり、図２は、側面図であり、図３は、側断面図であり、図４は、分解して示す斜視図である。また、図５は、防犯灯を後部から見て示す斜視図であり、図６は、カバー部材を取外して示す斜視図であり、図７は、配線部を拡大して示す断面図である。さらに、図８は、配線部において内側から見て示す説明図であり、図９は、配線部において外側から見て示す説明図である。なお、各図において同一部分には、同一符号を付し重複した説明は省略する。
【００１３】
図１乃至図４に示すように、防犯灯は、透光性を有するカバー部材１と、光源部２と、光源部２が取付けられる取付部材３と、光源部２を点灯制御する点灯装置４と、基体部５と、基体部５に取付けられたアーム６とを備えている。
【００１４】
カバー部材１は、先端部１１が閉塞されており、基端部１２側に開口部１３が形成されていて、筒状に形成されている。カバー部材１は、アクリルやポリカーボネート等の透光性樹脂で一体に成形され、全体として透光性を有している。また、カバー部材１を成形する透光性樹脂には白色顔料や光拡散材が添加されており、全体として乳白状の外観を呈している。なお、カバー部材１は、全体が透明であってもよく、一部が透光性を有する形態であってもよい。
【００１５】
カバー部材１は、先端部１１側の筒本体１ａと基端部１２側のフランジ部１ｂとによって構成されている。基端部１２のフランジ部１ｂは、その外周部が円筒形であり、また、内側の開口部１３の輪郭が円形状となっている。筒本体１ａは、フランジ部１ｂから先端部１１側に向かってフランジ部１ｂの外径よりもやや小さい円筒形状をなして一体的に形成されている。
【００１６】
カバー部材１の筒本体１ａには、投光部１４及び笠部１５が形成されている。筒本体１ａは、前面側（光の照射方向側、図示上における下方側）が路面への照射光を透過する投光部１４、背面側（図示上における上方側）が笠部１５としてそれぞれ機能する。笠部１５におけるフランジ部１ｂ側の背面側には、略コの字状の壁部１５ａが突出形成されており、この壁部１５ａは、その先端が揃って平坦となるような高さに形成されている。カバー部材１の内部には、開口部１３と連通する収容空間１６が形成されており、この収容空間１６は開口部１３以外とは連通することがない実質的な閉空間となっている。
【００１７】
フランジ部１ｂの内側面１７には、雌ねじ部１７ａが内側円周方向に形成されており、この雌ねじ部１７ａよりも先端部１１側には平坦面１７ｂが内側円周方向に連続して形成されている。筒本体１ａは、先端部１１に向かうに従って外径が小さくなるやや湾曲した傾斜面Ｓをなす先細り形状の筒体となっている。特に、筒本体１ａの上下方向の外径寸法は幅方向の外径寸法よりも先端部１１に向かって減少する割合が大きく、先端部１１付近での筒本体１ａの断面形状は幅方向を長径とする偏平な略楕円形状となっている。
【００１８】
カバー部材１の筒本体１ａの幅方向の周囲には、投光部１４及び笠部１５の外周面よりもやや外側に突出した段部１８が連続して帯状に形成されている。この段部１８が外側に張り出していることにより、段部１８が投光部１４の庇として機能しており、降雨時の水滴が投光部１４に流下しにくくなり、投光部１４の表面に汚れが付着しにくくなる。
【００１９】
この段部１８の内側には、収容空間１６に開口する溝部１９が形成されている。すなわち、この溝部１９は、少なくともカバー部材１の長手方向に沿って幅方向にそれぞれ設けられており、開口部１３からみて一対の溝部１９が形成されるようになっている。
【００２０】
カバー部材１の肉厚寸法は、筒本体１ａ及びフランジ部１ｂを含めて全体的に約２．５ｍｍであり、機械的強度、拡散透過率、放熱作用や耐候性等の所定の特性が確保されている。
【００２１】
光源部２は、基板２１と、この基板２１に実装された複数の発光素子２２とを備えている。基板２１は、略長方形状に形成された紙フェノール製のプリント基板であり、この基板２１の表面側には図示しない配線パターンと発光素子２２の端子接続用のランドとが銅箔により形成されている。なお、基板２１の材料は、絶縁材とする場合には、セラミックス材料、ガラスエポキシ材料や他の合成樹脂材料を適用できる。さらに、金属製とする場合は、アルミニウム等の熱伝導性が良好で放熱性に優れたべース板の一面に絶縁層が積層された金属製のべース基板を適用できる。
【００２２】
基板２１の表面側には、白色発光する発光素子２２が所定間隔をおいて直線状に７個実装されている。発光素子２２は、ＬＥＤであり、表面実装型のＬＥＤパッケージである。概略的にはセラミックスや耐熱性の合成樹脂で形成された本体に配設されたＬＥＤチップと、このＬＥＤチップを封止するエポキシ系樹脂やシリコーン樹脂等のモールド用の透光性樹脂とから構成されている。この透光性樹脂には、白色発光するために蛍光体が混入されている。
【００２３】
また、基板２１の前面側には、各発光素子２２と対向するようにレンズ部が形成されたアクリル樹脂等の透明材料から形成されたレンズ部材２３が配置されるようになっている。
【００２４】
光源部２は、取付部材３に取付けられている。取付部材３は、アルミニウム等の熱伝導性が良好な金属材料から作られており、先端側が円弧状に形成されて平板状をなしている。
【００２５】
光源部２は、この取付部材３の前面側に配設されており、基板２１の背面側（裏面側）が取付部材３の前面側に密着するように固定手段によって取付けられている。具体的には、図４に代表して示すように、基板２１に形成されたねじ貫通孔及び取付部材３に形成されたねじ貫通孔を貫通し、さらに、後述する点灯装置４のケース４４における取付舌片４４ｂに形成されたねじ貫通孔を貫通してナットによって締め付けられる取付ボルトＢによって、基板２１及びケース４４は、取付部材３に同時に共締めされて取付けられるようになっている。
【００２６】
取付部材３の背面側には、光源部２とリード線等によって電気的に接続された点灯装置４が配設されている。図３及び図４に代表して示すように、点灯装置４は、回路基板４１と、この回路基板４１の前面側（表面側）に実装された回路部品４２と、回路基板４１の背面側（裏面側）に実装された光センサ４３とを備えている。
【００２７】
回路基板４１は、ガラスエポキシ樹脂等の絶縁材料からなり、略長方形の板状に形成されて、表面側には、制御用ＩＣ、コンデンサ、巻線部品、抵抗素子等の主として高さ寸法の大きい回路部品４２が実装されている。また、回路基板４１の裏面側には、スイッチング素子や表面実装部品等の比較的高さ寸法の小さい回路部品４２ａが実装されているとともに、先端側には、光センサ４３が実装されている。
【００２８】
光センサ４３は、周囲の明るさを感知して動作するフォトダイオード等の光電変換素子から構成されており、この光センサ４３の検知出力によって光源部２の点滅動作が制御される。
【００２９】
このような点灯装置４は、回路基板４１に実装された回路部品４２が取付部材３の背面側と対向するように、熱伝導性を有するアルミニウム等の金属製のケース４４に取付けられて収容されている。ケース４４は、略直方体形状の箱状に形成されていて、背面壁には、光センサ４３と対向して、略円形状の受光穴４４ａが形成されている。また、前面側の対向する短辺側には、取付舌片４４ｂが延出して形成されている。
【００３０】
したがって、前述したように、点灯装置４は、ケース４４の取付舌片４４ｂが取付部材３の背面側において、基板２１の前面側から挿通される取付ボルトＢによって、基板２１とともに共締めされて取付けられ配設される。
【００３１】
前面側に光源部２、背面側に点灯装置４が取付けられた取付部材３は、その周縁部がカバー部材１の収容空間１６に開口する一対の溝部１９に挿入されることでカバー部材１に支持される。また、取付部材３の先端側も先端部１１に連続する溝部１９に係合している。このように、カバー部材１の収容空間１６は、取付部材３によって投光部１４側と笠部１５側とに実質分断されている。
【００３２】
点灯装置４の配設状態においては、光センサ４３は、回路基板４１の背面側に実装されているので、カバー部材１に近づき、カバー部材１との離間距離が短くなるように配置される。加えて、光センサ４３は、カバー部材１の筒本体１ａにおける傾斜面Ｓに対向するようになるので、さらにカバー部材１との離間距離が短くなる。したがって、光センサ４３へ外光が届きやすく受光環境が良好となり、適切な検出によって光源部２の制御が可能となる。
【００３３】
以上のような点灯装置４は、配線としてのリード線５３を介して商用交流電源に接続される。したがって、点灯装置４は、この交流電源を受けて直流出力を生成し、その直流出力を発光素子２２に供給し、発光素子２２を点灯制御するようになっている。
【００３４】
基体部５は、カバー部材１の開口部１３を閉塞する閉塞部５１を有している。基体部５は、ＡＳＡ樹脂等の耐候性、難燃性に優れた樹脂により閉塞部５１とともに一体的に成形されており、その基端側が外方に開放した有底筒状に形成されている。
【００３５】
閉塞部５１は、円筒形状をなしており、フランジ部１ｂの内面側の雌ねじ部１７ａに螺合する位置には、雄ねじ部５１ｃが形成されている。また、フランジ部１ｂの内面側の平坦面１７ｂに対向する部分には環状の凹溝５１ｂが円周方向に連続して形成されており、この凹溝５１ｂには平坦面１７ｂに当接するＯリング５２が嵌入されている。
【００３６】
すなわち、フランジ部１ｂの内面側の雌ねじ部１７ａに閉塞部５１の雄ねじ部５１ｃを螺合させて両者を嵌合させることにより基体部５の閉塞部５１が開口部１３から収容空間１６側へ侵入し、Ｏリング５２がフランジ部１ｂの内側面１７の平坦面１７ｂに当接する。Ｏリング５２は平坦面１７ｂと閉塞部５１の凹溝５１ｂと間で押圧されて弾性変形して開口部１３の内側が水密構造となって防水性が確保される。
【００３７】
図３、図５乃至図９に代表して示すように、閉塞部５１の先端側には開口部１３を閉塞する閉塞板５１ａが設けられており、この閉塞板５１ａと取付部材３の基端側とが当接して取付部材３が固定されている。
【００３８】
閉塞板５１ａの略中央部分には、光源部２側から導出される配線としてのリード線５３、すなわち、点灯装置４への給電を行うリード線５３が挿通する配線部５４が設けられている。この配線部５４には、内部に配線挿通孔５４ｂが形成された円筒部５４ａが形成されており、この配線挿通孔５４ｂにリード線５３を挿通することで配線部５４の防水性が確保されている。
【００３９】
より詳しくは、図７乃至図９に示すように、配線挿通孔５４ｂは、略円筒状に形成されていて、内側の直径の寸法Ｄ1（ｍｍ）と外側の直径の寸法Ｄ2（ｍｍ）とは、異なっており、内側の直径の寸法Ｄ1（ｍｍ）より外側の直径の寸法Ｄ2（ｍｍ）がやや大きく、Ｄ1＜Ｄ2の寸法関係となっている。すなわち、配線挿通孔５４ｂの外側から中央部付近までは、直径の寸法がＤ2（ｍｍ）に形成され、この中央部から内側に向かってテーパ状に直径が小さくなって内側の直径の寸法がＤ1（ｍｍ）に形成されている。
【００４０】
なお、配線挿通孔５４ｂは、外側から内側に向かって連続的にテーパ状に形成されて、内側の直径の寸法がＤ1（ｍｍ）に形成され、外側の直径の寸法がＤ2（ｍｍ）に形成されていてもよい。
【００４１】
また、配線挿通孔５４ｂには、直径をｄ1（ｍｍ）とする２本のリード線５３が挿通されている。したがって、直径ｄ1（ｍｍ）×２本となり、直径の合計寸法をｄ（ｍｍ）とするリード線５３が挿通されている。また、配線挿通孔５４ｂは、所定の長さ寸法Ｌ（ｍｍ）を有している。
【００４２】
このような配線部５４において、防水性能の確保及び後述するリード線５３のねじれの緩和の観点から種々の実験、試験を実施した結果、配線挿通孔５４ｂとリード線５３との寸法関係を以下のように設定することが好適であるとの見解を得た。
（１）配線挿通孔５４ｂにおける内側の直径の寸法Ｄ1（ｍｍ）に対するリード線５３の直径の合計寸法ｄ（ｍｍ）の比が０．８９〜０．９９であること。
（２）配線挿通孔５４ｂにおける内側の直径の寸法Ｄ1（ｍｍ）に対する外側の直径の寸法Ｄ2（ｍｍ）の比が１．１〜１．４であること。
（３）配線挿通孔５４ｂの長さ寸法Ｌ（ｍｍ）は、内側の直径の寸法Ｄ1（ｍｍ）の４〜６倍であること。
【００４３】
本実施形態においては、配線挿通孔５４ｂにおける内側の直径の寸法Ｄ1（ｍｍ）は、φ６ｍｍであり、外側の直径の寸法Ｄ2（ｍｍ）は、φ７．３ｍｍに形成されている。また、１本のリード線５３の直径ｄ1（ｍｍ）は、φ２．７ｍｍ程度のものが用いられている。さらに、配線挿通孔５４ｂの長さ寸法Ｌ（ｍｍ）は、３０ｍｍに形成されている。
【００４４】
したがって、内側の直径の寸法Ｄ1（ｍｍ）に対するリード線５３の直径の合計寸法ｄ（ｍｍ）の比は、５．４ｍｍ／φ６ｍｍ＝０．９であり、配線挿通孔５４ｂとリード線５３との間には、０．６ｍｍのクリアランスが生じている。
また、内側の直径の寸法Ｄ1（ｍｍ）に対する外側の直径の寸法Ｄ2（ｍｍ）の比は、φ７．３ｍｍ／φ６ｍｍ≒１．２２となっている。
【００４５】
さらに、配線挿通孔５４ｂの長さ寸法Ｌ（ｍｍ）は３０ｍｍであり、内側の直径の寸法Ｄ1（ｍｍ）はφ６ｍｍであるから、長さ寸法Ｌ（ｍｍ）は、内側の直径の寸法Ｄ1（ｍｍ）の５倍（３０ｍｍ／φ６ｍｍ）に形成されている。
【００４６】
このように配線挿通孔５４ｂとリード線５３との寸法関係を設定することにより、所定の防水性能を確保することが可能で、配線挿通孔５４ｂからカバー部材１内に雨水等の水気が侵入するのを防止することができる。例えば、水気が配線挿通孔５４ｂの外側に到達した場合、この水気は、外側の直径の寸法Ｄ2（ｍｍ）における孔縁部分に滴状にたまり、自重によって落下するようになる。加えて、内側の直径の寸法Ｄ1（ｍｍ）は、小さくなっているので、水気の侵入を効果的に阻止することができる。
【００４７】
なお、例えば、２本のリード線が外被によって１本に束ねられている配線を用いる場合には、リード線の直径の合計寸法ｄ（ｍｍ）は、外被の直径の寸法ｄ（ｍｍ）となる。
【００４８】
次に、例えば、カバー部材１の交換等のメンテナンスにおいては、図６に示すように、カバー部材１を矢印方向に回動して基体部５から取外す。このカバー部材１の回動の際、光源部２及び点灯装置４は、カバー部材１側に支持されていて、リード線５３が接続されている。
【００４９】
したがって、仮に、従来のように、リード線５３が防水ブッシングによって緊密的に保持されている場合には、カバー部材１を回動すると、リード線５３が点灯装置４の接続部分から防水ブッシングまでの間で、回動に伴いねじれが生じるようになる。このねじれは、点灯装置４の接続部分から防水ブッシングまでの比較的短い長さ部分で生じるため、リード線５３のねじれの屈曲度合いが大きく、リード線５３の断線等の損傷や応力がかかって接続部が外れてしまう可能性があり、カバー部材１の交換等が困難となる問題が発生する。
【００５０】
しかしながら、本実施形態では、配線挿通孔５４ｂと、この配線挿通孔５４ｂを挿通するリード線５３との寸法関係において、リード線５３にねじれが生じる度合いを軽減するように構成されている。つまり、配線挿通孔５４ｂにおける内側の直径の寸法Ｄ1（ｍｍ）に対してリード線５３の直径の合計寸法ｄ（ｍｍ）が僅かながら小さくなっており、クリアランスが形成されている。また、内側の直径の寸法Ｄ1（ｍｍ）より外側の直径の寸法Ｄ2（ｍｍ）が大きく形成されている。
【００５１】
したがって、このカバー部材１の回動に伴いリード線５３は、配線挿通孔５４ｂ内において回動可能となり、すなわち、リード線５３は、点灯装置４の接続部分から電源側の接続部分までの比較的長い長さ部分でねじれるようになるため、ねじれの屈曲度合いを軽減することが可能となる。
よって、所定の防水性能を確保しつつ、リード線５３のねじれの屈曲度合いを軽減することが可能となる。
【００５２】
なお、上記においては、配線挿通孔５４ｂにおける内側の直径の寸法Ｄ1（ｍｍ）より外側の直径の寸法Ｄ2（ｍｍ）がやや大きく、Ｄ1＜Ｄ2の寸法関係となっている場合について説明したが、内側の直径の寸法Ｄ1（ｍｍ）と外側の直径の寸法Ｄ2（ｍｍ）との関係を反対にして、外側の直径の寸法Ｄ2（ｍｍ）を小さく、内側の直径の寸法Ｄ1（ｍｍ）を大きくして、Ｄ2＜Ｄ1の寸法関係となるように構成してもよい。
したがって、配線挿通孔５４ｂにおける一方側の直径の寸法と他方側の直径の寸法との関係が上記のような寸法関係に設定されればよい。
【００５３】
再び、図１乃至図４に示すように、基体部５の基端側には、フランジ部１ｂと略同径の円筒段部５５が閉塞部５１と一体的に形成されている。円筒段部５５の上方部分には、外側に向かって開口したスリット部５６が設けられており、このスリット部５６内には２つのねじ孔が形成された金属製の取付板５７が嵌挿されている。円筒段部５５の取付板５７のねじ孔に対応する位置にはねじ挿通孔が形成されている。
【００５４】
本実施形態の防犯灯には、アーム６によって路面に設置された電柱等のポールに取付けられる。アーム６は、断面コの字状の金属片の中間部を略Ｌ字状に湾曲した湾曲部６１を有しており、基端部に電柱に巻付けられる取付バンドの通し孔６２及び取り付けねじ係止用のだるま穴６３が形成されている。
【００５５】
アーム６の湾曲部６１よりも先端側には、ねじ取付け部６４が形成されており、このねじ取付け部６４に挿入された２本のねじを基体部５のスリット部５６内に嵌挿された取付板５７のねじ孔に螺合することで基体部５がアーム６に取付けられ、防犯灯がアーム６に支持される。このとき、カバー部材１の長軸方向は、アーム６の湾曲部６１によって先端部１１側が上方を向くように水平面に対して約２０°〜３０°傾いて設置される。
【００５６】
したがって、カバー部材１の開口部１３は設置状態において常に下方に向いており、降雨による水滴が開口部１３内に浸入しにくく、防水性能が向上する。さらに、比較的表面積が大きいカバー部材１の先端部１１側を上方に向けることで笠部１５内の対流と熱交換の効率が向上するため、放熱特性を向上させることもできる。
このように構成された防犯灯は、屋外が暗くなると光センサ４３の検知出力によって光源部２に電源側から点灯装置４を介して電力が供給され、発光素子２２が点灯される。また、屋外が明るくなると光センサ４３の検知出力によって電力が遮断され発光素子２２が消灯される。
【００５７】
この場合、光センサ４３は、回路基板４１の背面側に実装されおり、さらに、カバー部材１の傾斜面Ｓに対向するように配置されているので、外光が受光穴４４ａを介して光センサ４３に届きやすく、光センサ４３の適切な明るさの検出によって光源部２の制御が適切に実行されるようになる。
【００５８】
防犯灯の点灯状態においては、発光素子２２から出射される光は、レンズ部材２３を通過し、透光性のカバー部材１を透過して外方へ所期の配光状態で放射される。
【００５９】
一方、発光素子２２の点灯中は、発光素子２２から熱が発生する。この熱は、基板２１から取付部材３へ伝導され放熱される。さらに、取付部材３から点灯装置４が収容されたケース４４へも伝導され放熱が促進される。また、同時に、点灯装置４から発生する熱は、主としてケース４４へ伝導されて放熱されるようになる。
【００６０】
以上のように本実施形態によれば、所定の防水性能を確保することができるとともに、カバー部材１を取外す際に、リード線５３のねじれの屈曲度合いを軽減することが可能な照明装置を提供することができる。
【００６１】
なお、本発明は、上記実施形態の構成に限定されることなく、発明の要旨を逸脱しない範囲で種々の変形が可能である。例えば、光源部の光源としては、ＬＥＤ、有機ＥＬ等の基板に実装可能な固体発光素子や放電ランプ等が適用でき、格別限定されるものではない。
【００６２】
また、光源部を点灯制御する点灯装置がカバー部材内に収容されないものであってもよい。つまり、点灯装置がいわゆる別置きタイプの照明装置にも適用可能である。
さらに、照明装置としては、防犯灯に限らず、街路灯、庭園灯及び投光器等の各種照明装置に適用可能である。
【符号の説明】
【００６３】
１・・・カバー部材、２・・・光源部、
３・・・取付部材、４・・・点灯装置、
５・・・基体部、６・・・アーム、
２１・・・基板、２２・・・発光素子（ＬＥＤ）、
５３・・・配線（リード線）、５４・・・配線部、
５４ｂ・・・配線挿通孔、
Ｄ1・・・内側の直径の寸法、Ｄ2・・・外側の直径の寸法、
ｄ・・・配線の直径の合計寸法、Ｌ・・・配線挿通孔の長さ寸法
【図１】
2012221598.tif 000003
【図２】
2012221598.tif 000004
【図３】
2012221598.tif 000005
【図４】
2012221598.tif 000006
【図５】
2012221598.tif 000007
【図６】
2012221598.tif 000008
【図７】
2012221598.tif 000009
【図８】
2012221598.tif 000010
【図９】
2012221598.tif 000011